(57)【要約】      （修正有）【課題】子供による視聴を制限すると共に設定解除回数削減による解除方法漏洩を少なくする動画音声再生装置を提供する。【解決手段】動画音声再生装置において、事前に抑制対象キーワード情報を登録しておき、電子番組表等の再生するコンテンツの情報をコンテンツ情報の更新の度または、定期的に比較する。比較した結果、コンテンツ情報に抑制対象キーワードが存在する場合、音声調整実施前の音声信号に比較的大きなモスキート音を重ねる。【選択図】図１
2013128167.tif 000002
【特許請求の範囲】
【請求項１】
キーワードと年齢とを含む抑制対象キーワード情報と、年齢と周波数とを含む抑制開始年齢別再生周波数情報と、高周波音源とを有する動画音声再生装置において、
再生コンテンツ情報に前記キーワードを含むとき、前記抑制対象キーワード情報の年齢に対応する前記抑制開始年齢別再生周波数情報の周波数で、前記高周波音源から出力した高周波音を、再生コンテンツの音声信号に重畳することを特徴とする動画音声再生装置。
【請求項２】
請求項１に記載の動画音声再生装置であって、
音声の音量を調整する音量調整装置をさらに有し、
前記音量調整装置の全段階において、前記高周波音を、前記再生コンテンツの音声信号に重畳することを特徴とする動画音声再生装置。
【請求項３】
請求項１または請求項２に記載の動画音声再生装置であって、
前記動画音声再生装置は、テレビ、プレイヤ、ゲーム機、コンピュータのいずれかであることを特徴とする動画音声再生装置。
【発明の詳細な説明】
【技術分野】
【０００１】
本発明は、動画音声再生装置に係り、特に子供が子供に悪影響を及ぼす可能性のあるサービスやコンテンツを再生する事に対して、視聴・利用抑制する抑制装置付きの動画音声再生装置に関する。
【背景技術】
【０００２】
子供が、デレビやプレイヤ・ゲーム機等で悪影響を及ぼす可能性のあるサービスやコンテンツを再生する事を抑制するために、従来、ゲーム機やＤＶＤプレイヤ等のコンテンツ再生装置等で再生を抑制することが提案されている。
【０００３】
特許文献１は、タイマーで設定した時間経過後または設定時刻になるとモスキート音を重畳する音声再生装置を開示している。
【先行技術文献】
【特許文献】
【０００４】
【特許文献１】特開２００９−０６５２６４号公報
【発明の概要】
【発明が解決しようとする課題】
【０００５】
従来の方法では再生を制限してしまうため、利用抑止対象以外が全てを再生するためには制限を解除する必要がある。これでは、解除の手間がかかるうえ、解除を頻繁にすることで解除方法を子供が学習し、再生しまう虞がある。
【０００６】
また再生制限または解除という方法しかなく、大人はコンテンツを楽しみながら、子供には抑止になるという中間的な事が実現できなかった。
さらに、特許文献１の技術では、設定時間経過後または設定時刻になるとモスキート音を重畳するが、コンテンツの内容に対応して、モスキート音を重畳することは、できない。
【０００７】
本発明の目的は、子供による深夜番組などの子供に悪影響を及ぼす可能性のあるコンテンツを再生する際にモスキート音を重ねて再生する事で、子供による視聴を抑制すると共に設定解除回数削減による解除方法漏洩を少なくする動画音声再生装置を提供することにある。
【課題を解決するための手段】
【０００８】
上記課題を解決するために、本発明では事前に利用抑止対象となるキーワードを登録しておき、電子番組表等の再生するコンテンツの情報をコンテンツ情報の更新の度または、定期的に比較する。比較した結果、コンテンツ情報にキーワードが含まれている場合、音量調整実施前の音声信号に比較的大きなモスキート音を重ねる。
【０００９】
再生するモスキート音の周波数帯を設定可能とし、視聴を抑制する対象に合わせて周波数帯を変更可能とする。
【発明の効果】
【００１０】
本発明によれば、子供による動画音声再生において、親が利用を抑制しようとしたコンテンツについて耳障りな音が音声に含まれて再生されることで視聴を抑制する事ができる。
【図面の簡単な説明】
【００１１】
【図１】動画音声再生装置のブロック図である。
【図２】抑制対象と抑制を開始する年齢を入力する画面のＧＵＩである。
【図３】抑制開始年齢と再生するモスキート音の周波数を設定する画面のＧＵＩ（Graphical User Interface）である。
【図４】抑制設定画面へ遷移する際の認証画面のＧＵＩである。
【図５】抑制設定の手順を示すフローチャートである。
【図６】抑制処理の手順を示すフローチャートである。
【発明を実施するための形態】
【００１２】
モスキート音について、以下に説明する。人間の可聴域は２０Ｈｚ〜２０ｋＨｚであるが、一般的に年齢と共に高周波域より聞こえなくなってくる。高周波は聞こえる者には耳障りな音であり、この可聴域の差を利用した音響装置として「モスキート」という製品がある。可聴域は、個人差が非常に大きく年齢により決まっている物ではないため、抑止用途で使用する場合、周波数帯を利用者の環境に合わせて設定する必要がある。
【００１３】
以下、本発明の実施の形態について、実施例を用い図面を参照しながら詳細に説明する。なお、実質同一部位には同じ参照番号を振り、説明は繰り返さない。
【００１４】
図１を参照して、動画音声再生装置の全体構成を説明する。図１において、動画音声再生装置１００は、視聴抑制処理部７０と、動画音声再生部８０と、操作部９０と、抑制キーワード情報保持部２０と、抑制開始年齢別再生周波数情報保持部３０と、再生モスキート音源４０と、抑制認証情報保持部５０とを含む。
【００１５】
視聴抑制処理部７０は、地上デジタル放送・ＢＳ／ＣＳ放送の電波を使用して配信されてくる電子番組情報１０またはインターネット上で公開されている電子番組情報１０に基づいて、抑制キーワード情報保持部２０の抑制対象キーワード情報、抑制開始年齢別再生周波数情報保持部３０の抑制開始年齢別再生周波数情報、再生モスキート音源４０、抑制認証情報保持部５０の抑制認証情報を元に処理を行なう。
【００１６】
視聴抑制処理部７０は、地上デジタル放送・ＢＳ／ＣＳ放送の音声信号６０にモスキート音源４０を重ねて再生する。抑制キーワードの検索対象に電子番組表１０、再生コンテンツに地上デジタル放送・ＢＳ／ＣＳ放送６０と記載しているが、再生コンテンツ情報に抑制対象キーワードが存在する場合にキーワードに対応した高周波を再生コンテンツの音声信号に重ねれば、これに限らない。
【００１７】
図２を参照して、抑制対象キーワードの設定画面を説明する。図２において、抑制対象キーワード設定画面１１０は、再生コンテンツ情報に含まれる情報（電子番組表では、タイトルやサブタイトル等）を検索する抑制対象キーワード１２０と、抑制対象キーワード１２０で抑制を開始する抑制開始年齢１３０と、登録ボタン１４０とから構成されている。
【００１８】
抑制対象キーワード設定画面１１０において、抑制対象キーワード１２０と、抑制開始年齢１３０とを入力し、登録ボタン１４０の押下で登録する。抑制開始年齢１３０は、後に記載する抑制開始年齢別再生周波数情報と関連づけている。抑制対象キーワード設定画面１１０は、タイトルやサブタイトルに含まれる情報のみを記載している。しかし、判定・指定可能な再生コンテンツ情報であればよく、キーワードの設定の仕方では、電子番組表に含まれる番組開始時間／終了時間等も含まれる。なお、図２および以下の入力画面は、動画音声再生部に画面を表示させ、リモコンの操作で入力する。
【００１９】
図３を参照して、年齢別再生周波数設定画面２１０を説明する。図３において、年齢別再生周波数設定画面２１０は、年齢２２０と、再生周波数２３０と、登録ボタン２４０とから構成されている。年齢別再生周波数設定画面２１０は、年齢２２０と再生周波数２３０とを関連付けて、登録ボタン２４０押下で登録を行なう。年齢毎に再生周波数を関連付けているのは、可聴域は、個人差が非常に大きく年齢によって決まっている訳ではないため、利用者の環境に合わせて変更を可能とするためである。
【００２０】
図４を参照して、抑制設定画面３１０を説明する。図４において、抑制設定画面３１０は、パスワード３２０と、抑制３３０と、認証ボタン３４０とから構成されている。抑制設定画面３１０では、事前に登録しておいたパスワード３２０の入力と抑制３３０のオン／オフ情報を入力し、認証のボタン３４０を押下することで抑制の開始／解除を実施する。
【００２１】
図５を参照して、動画音声再生装置１００が、図２ないし図４の画面に制する遷移する処理を説明する。図５において、動画音声再生装置１００は、抑制設定画面３１０を表示して、認証パスワードを受け付ける（Ｓ４１０）。動画音声再生装置１００は、パスワードを確認する（Ｓ４２０）。パスワード不一致のとき、動画音声再生装置１００は、ステップ４１０に遷移する。ステップ４２０でパスワード一致のとき、動画音声再生装置１００は、図示しないメニュー選択画面を表示し、選択を受け付ける（Ｓ４５０）。抑制対象キーワード入力のとき、動画音声再生装置１００は、抑制対象キーワードの設定画面を表示して、抑制対象キーワードの入力を受け付け（Ｓ４３０）、終了する。ステップ４５０で再生音周波数設定のとき、動画音声再生装置１００は、年齢別再生周波数設定画面２１０を表示して、年齢２２０と再生周波数２３０とを受け付け（Ｓ４４０）、終了する。
【００２２】
図６を参照して、視聴抑制処理を説明する。図６において、動画音声再生装置１００は、再生コンテンツ情報を更新する（Ｓ５１０）。動画音声再生装置１００は、再生コンテンツ情報に抑制対象キーワードが含まれているか判定する（Ｓ５２０）。含まれていないとき、動画音声再生装置１００は、終了する。ステップ５２０で含まれているとき、動画音声再生装置１００は、姿勢周波数音を取得する（Ｓ５３０）。動画音声再生装置１００は、音声への高周波音合成を開始して（Ｓ５４０）、終了する。
【００２３】
以上、本実施例では、動画音声再生装置として、テレビを想定して説明したが、テレビに接続されるプレイヤ、ゲーム機、パソコンに同様な視聴抑制処理を内蔵させたものでもよい。この場合、プレイヤやゲーム機、パソコンでコンテンツを再生・参照した時に同様の機能を果たすことができる。
【００２４】
上述した実施例によれば、子供による動画音声再生において、親が利用を抑制しようとしたコンテンツについて耳障りな音が音声に含まれて再生されることで視聴を抑制する事ができる。また、音量調整実施前の音声信号にモスキート音を重ねることで、音量調整による回避ができなくなり、子供の簡単な回避策は失われる。
【符号の説明】
【００２５】
１０…再生コンテンツ情報、２０…抑制対象キーワード情報、３０…抑制開始年齢別再生周波数情報、４０…再生高周波音（モスキート音）、５０…抑制有無情報、６０…再生コンテンツ、１００…動画音声再生装置、１１０…抑制対象キーワード設定画面、１２０…抑制対象キーワード、１３０…抑制開始年齢、１４０…抑制対象キーワード登録ボタン、２１０…抑制開始年齢別再生周波数画面、２２０…年齢、２３０…再生周波数、２４０…抑制開始年齢別再生周波数登録ボタン、３１０…抑制設定画面、３２０…認証パスワード、３３０…抑制有無、３４０…認証ボタン。
【図１】
2013128167.tif 000003
【図２】
2013128167.tif 000004
【図３】
2013128167.tif 000005
【図４】
2013128167.tif 000006
【図５】
2013128167.tif 000007
【図６】
2013128167.tif 000008